(57)【要約】  鉛蓄電池１の蓋３は、蓋本体３０と、蓋本体３０に対して回動可能に取り付けられたハンドル１０と、ハンドル１０蓋の回動範囲を規制する凸部Ｓ１１と、を備える。ハンドル１０は、先端部が鉛蓄電池１の重心Ｇ側を向くように回動する。凸部Ｓ１１は、カバー部３１の上面３１ａに対するハンドル１０の開き角度αが９０°未満となるようにハンドル１０の回動範囲を規制する。
2019150428.tif 000002
【特許請求の範囲】
【請求項１】
鉛蓄電池の電槽の上部に取り付けられる蓋本体と、
前記蓋本体に対して回動可能に取り付けられたハンドルと、
前記蓋本体に対する前記ハンドルの回動範囲を規制する規制部と、
を備え、
前記ハンドルは、上方から見たときに、前記蓋本体に取り付けられた側に対して反対側の先端部が前記鉛蓄電池の重心側を向くように回動し、
前記規制部は、前記ハンドルの回動の軸方向に沿って見たときに、前記蓋本体の上面に対する前記ハンドルの開き角度が９０°未満となるように前記ハンドルの回動範囲を規制する、鉛蓄電池の蓋。
【請求項２】
前記ハンドルは、
基端部が前記蓋本体に回動可能に取り付けられたアーム部と、
前記アーム部の先端部に取り付けられたグリップ部と、
を有し、
前記規制部は、前記アーム部の回動の軸方向に沿って見たときに、前記アーム部の回動の軸と前記グリップ部とを接続する直線と、前記蓋本体の上面とがなす角度が９０°未満となるように回動範囲を規制する、請求項１に記載の鉛蓄電池の蓋。
【請求項３】
前記ハンドルは、２つ設けられ、
前記規制部は、２つ設けられるとともに、２つの前記ハンドルの回動範囲をそれぞれ規制し、
上方から見たときに、２つの前記ハンドルは、前記鉛蓄電池の重心を挟むように前記蓋本体に取り付けられている、請求項１又は２に記載の鉛蓄電池の蓋。
【請求項４】
前記規制部は、前記蓋本体に設けられた凸部又は壁部であり、前記蓋本体の上面に対する前記ハンドルの開き角度が９０°未満となる回動位置で前記ハンドルと当接することによって回動範囲を規制する、請求項１〜３のいずれか一項に記載の鉛蓄電池の蓋。
【請求項５】
前記蓋本体は、
前記ハンドルに通された軸部と、
前記軸部の軸方向において前記ハンドルに対向し、前記軸部から外れる方向における前記ハンドルの移動を規制する規制壁と、
を有し、
前記ハンドルは、前記軸部を軸として回動可能であり、
前記規制部は、前記規制壁であり、前記蓋本体の上面に対する前記ハンドルの開き角度が９０°未満となる回動位置で前記ハンドルと当接することによって回動範囲を規制する、請求項１〜３のいずれか一項に記載の鉛蓄電池の蓋。
【請求項６】
請求項１〜５のいずれか一項に記載の前記鉛蓄電池の蓋を備える、鉛蓄電池。
【発明の詳細な説明】
【技術分野】
【０００１】
本発明は、鉛蓄電池の蓋、及び鉛蓄電池に関する。
【背景技術】
【０００２】
例えば特許文献１に記載されているように、自動車等に搭載された鉛蓄電池がある。このような鉛蓄電池は、電極群及び電解液等を収容する電槽と、電槽の開口を閉じる蓋とを備えている。また、鉛蓄電池の蓋は、蓋本体と、作業者等が鉛蓄電池を容易に持ち上げることができるようにするためのハンドルとを備えている。ハンドルは、蓋本体に対して回動可能に取り付けられている。ハンドルは、使用されないときには蓋本体の面上に倒され、使用されるときには蓋本体から立ち上げられる。
【先行技術文献】
【特許文献】
【０００３】
【特許文献１】特開２００３−３３８２８５号公報
【発明の概要】
【発明が解決しようとする課題】
【０００４】
ここで、蓋本体に対してハンドルが回動可能に取り付けられているため、作業者等がハンドルを立ち上げて鉛蓄電池を持ち上げたときに、蓋本体及び電槽がハンドルに対して揺動することがある。この場合、作業者等は、鉛蓄電池を安定して持ち上げることができない。このため、本技術分野では、ハンドルを用いて鉛蓄電池が持ち上げられたときに、鉛蓄電池の姿勢を安定させることができる鉛蓄電池の蓋、及び鉛蓄電池が求められている。
【課題を解決するための手段】
【０００５】
本発明の一側面に係る鉛蓄電池の蓋は、鉛蓄電池の電槽の上部に取り付けられる蓋本体と、蓋本体に対して回動可能に取り付けられたハンドルと、蓋本体に対するハンドルの回動範囲を規制する規制部と、を備え、ハンドルは、上方から見たときに、蓋本体に取り付けられた側に対して反対側の先端部が鉛蓄電池の重心側を向くように回動し、規制部は、ハンドルの回動の軸方向に沿って見たときに、蓋本体の上面に対するハンドルの開き角度が９０°未満となるようにハンドルの回動範囲を規制する。【０００６】
ここで、この鉛蓄電池の蓋が電槽に取り付けられた状態で、作業者等がハンドルを把持して鉛蓄電池を持ち上げた場合について説明する。作業者等がハンドルを把持して鉛蓄電池を持ち上げると、ハンドルが立ち上げられた状態となる。このとき、ハンドルにおける蓋本体への取り付け位置と鉛蓄電池の重心との位置関係によって、蓋本体及び電槽がハンドルに対して回動しようとする。上述したように、ハンドルは、先端部が鉛蓄電池の重心側を向くように回動する。規制部は、ハンドルの開き角度が９０°未満となるように回動範囲を規制する。このため、ハンドルに対する蓋本体及び電槽の回動は、規制部によって規制される。すなわち、ハンドルによって鉛蓄電池が持ち上げられた状態では、ハンドルに対する蓋本体及び電槽の回動が規制部によって常に規制された状態となる。従って、蓋本体及び電槽がハンドルに対して回動しようとしたときに、一方の方向への回動は規制部によって規制され、他方の方向への回動は鉛蓄電池（蓋本体及び電槽）の重さによって抑制される。これにより、鉛蓄電池が持ち上げられたときに、ハンドルに対する蓋本体及び電槽の揺動が抑制される。以上のように、この鉛蓄電池の蓋は、ハンドルを用いて鉛蓄電池が持ち上げられたときに、鉛蓄電池の姿勢を安定させることができる。【０００７】
鉛蓄電池の蓋において、ハンドルは、基端部が蓋本体に回動可能に取り付けられたアーム部と、アーム部の先端部に取り付けられたグリップ部と、を有し、規制部は、アーム部の回動の軸方向に沿って見たときに、アーム部の回動の軸とグリップ部とを接続する直線と、蓋本体の上面とがなす角度が９０°未満となるように回動範囲を規制してもよい。この場合、鉛蓄電池の蓋は、ハンドルを用いて鉛蓄電池が持ち上げられたときに、鉛蓄電池の姿勢を安定させることができる。【０００８】
鉛蓄電池の蓋において、ハンドルは、２つ設けられ、規制部は、２つ設けられるとともに、２つのハンドルの回動範囲をそれぞれ規制し、上方から見たときに、２つのハンドルは、鉛蓄電池の重心を挟むように蓋本体に取り付けられていてもよい。この場合、作業者等が２つのハンドルをそれぞれ把持して鉛蓄電池を持ち上げると、２つのハンドルがそれぞれ立ち上げられた状態となる。このとき、２つのハンドルにおける蓋本体への取り付け位置と鉛蓄電池の重心との位置関係により、蓋本体の上面に対する開き角度が９０°となるように２つのハンドルが蓋本体に対してそれぞれ回動しようとする。このため、２つのハンドルは、２つの規制部によってそれぞれ回動が規制された状態となる。すなわち、鉛蓄電池が持ち上げられた状態では、２つのハンドルの回動が２つの規制部によってそれぞれ常に規制された状態となる。従って、蓋本体及び電槽が回動しようとしたときに、一方の方向への回動は一方の規制部によって規制され、他方の方向への回動は他方の規制部によって規制される。これにより、鉛蓄電池の蓋は、２つのハンドルを用いて鉛蓄電池が持ち上げられたときに、鉛蓄電池の姿勢をより一層安定させることができる。【０００９】
鉛蓄電池の蓋において、規制部は、蓋本体に設けられた凸部又は壁部であり、蓋本体の上面に対するハンドルの開き角度が９０°未満となる回動位置でハンドルと当接することによって回動範囲を規制してもよい。この場合、ハンドルによって鉛蓄電池が持ち上げられた状態では、凸部又は壁部がハンドルに当接することによって、ハンドルに対する蓋本体及び電槽の回動が規制される。【００１０】
鉛蓄電池の蓋において、蓋本体は、ハンドルに通された軸部と、軸部の軸方向においてハンドルに対向し、軸部から外れる方向におけるハンドルの移動を規制する規制壁と、を有し、ハンドルは、軸部を軸として回動可能であり、規制部は、規制壁であり、蓋本体の上面に対するハンドルの開き角度が９０°未満となる回動位置でハンドルと当接することによって回動範囲を規制してもよい。この場合、鉛蓄電池の蓋は、ハンドルが軸部から外れることを防止する規制壁を規制部としても機能させることができる。【００１１】
本発明の他の一側面に係る鉛蓄電池は、上記の鉛蓄電池の蓋を備える。この鉛蓄電池は、ハンドルを用いて鉛蓄電池が持ち上げられたときに、鉛蓄電池の姿勢を安定させることができる。
【発明の効果】
【００１２】
本発明の種々の側面によれば、ハンドルを用いて鉛蓄電池が持ち上げられたときに、鉛蓄電池の姿勢を安定させることができる。
【図面の簡単な説明】
【００１３】
【図１】実施形態に係る鉛蓄電池の正面図である。
【図２】図１の鉛蓄電池の上面図である。
【図３】ハンドルが取り外された状態の鉛蓄電池を示す正面図である。
【図４】ハンドルが取り外された状態の鉛蓄電池を示す上面図である。
【図５】ハンドルが立ち上げられた状態の鉛蓄電池を示す正面図である。
【図６】規制部の第１変形例を示す図である。
【図７】規制部の第２変形例を示す図である。
【図８】ハンドルの変形例を示す正面図である。
【発明を実施するための形態】
【００１４】
以下、本発明の蓋が適用された鉛蓄電池の実施形態について図面を参照しながら説明する。なお、図面の説明において同一の要素には同一の符号を付し、重複する説明を省略する。
【００１５】
図１及び図２に示されるように、鉛蓄電池１は、液式鉛蓄電池である。鉛蓄電池１は、上面が開口している電槽２、及び電槽２の開口を閉じる蓋(鉛蓄電池の蓋)３を備えている。電槽２及び蓋３は、例えばポリプロピレンで形成されている。電槽２の内部には、複数の電極群、及び電解液が収容されている。
【００１６】
蓋３は、ハンドル（一方のハンドル）１０、ハンドル（他方のハンドル）２０、及び蓋本体３０を備えている。蓋本体３０は、上方から見たときに、略長方形状を呈している（図２参照）。以下、説明の便宜上、図２に示されるように、蓋本体３０の長手方向をＸ軸方向、蓋本体３０の短手方向をＹ軸方向とする。なお、電槽２の内部には、Ｘ軸方向に沿って複数の電極群が並べて配置されている。図２に示されるように鉛蓄電池１を上方から見たときに、鉛蓄電池１の重心Ｇは、本実施形態においては、Ｘ軸方向における蓋本体３０の中央位置Ｃ上に位置している。
【００１７】
蓋本体３０は、カバー部３１、及び盛上部３２を備えている。カバー部３１は、電槽２の開口を閉じるように、電槽２の上部に取り付けられている。カバー部３１には、正極端子Ｄ１と、負極端子Ｄ２とが設けられている。正極端子Ｄ１は、カバー部３１におけるＸ軸方向の一方の端部近傍に設けられている。負極端子Ｄ２は、カバー部３１におけるＸ軸方向の他方の端部近傍に設けられている。電槽２内の電極群は、正極端子Ｄ１及び負極端子Ｄ２にそれぞれ接続されている。
【００１８】
盛上部３２は、カバー部３１の上面３１ａに設けられ、上面３１ａから突出している。盛上部３２は、Ｘ軸方向に沿って延在している。盛上部３２内には、電解液の注入口等が設けられている。盛上部３２は、正極端子Ｄ１及び負極端子Ｄ２を避けるように設けられている。
【００１９】
ハンドル１０は、蓋本体３０に対して回動可能に取り付けられている。詳細には、ハンドル１０は、アーム部１１、アーム部１２、及びグリップ部１３を備えている。アーム部１１及び１２の基端部は、盛上部３２の側壁部３２ａにそれぞれ回動可能に取り付けられている。本実施形態では、アーム部１１の基端部に設けられた孔に、盛上部３２の側壁部３２ａに設けられた軸部Ｐ１１が嵌め込まれている（通されている）。また、アーム部１２の基端部に設けられた孔に、盛上部３２の側壁部３２ａに設けられた軸部Ｐ１２が嵌め込まれている（通されている）。
【００２０】
アーム部１１の先端部には、グリップ部１３の一方の端部が取り付けられている。アーム部１２の先端部には、グリップ部１３の他方の端部が取り付けられている。すなわち、ハンドル１０は、略Ｕ字状を呈している。
【００２１】
ここで、図３及び図４に示されるように、軸部Ｐ１１は、盛上部３２の側壁部３２ａにおけるＹ軸方向の一方の面に取り付けられ、側壁部３２ａからＹ軸方向に沿って突出している。軸部Ｐ１２は、盛上部３２の側壁部３２ａにおけるＹ軸方向の他方の面に取り付けられ、側壁部３２ａからＹ軸方向に沿って突出している。軸部Ｐ１１及びＰ１２は、Ｘ軸方向において、中央位置Ｃよりも正極端子Ｄ１側に位置している。
【００２２】
ハンドル２０は、図１及び図２に示されるように、蓋本体３０に対して回動可能に取り付けられている。詳細には、ハンドル２０は、アーム部２１、アーム部２２、及びグリップ部２３を備えている。アーム部２１及び２２の基端部は、盛上部３２の側壁部３２ａにそれぞれ回動可能に取り付けられている。本実施形態では、アーム部２１の基端部に設けられた孔に、盛上部３２の側壁部３２ａに設けられた軸部Ｐ２１が回動可能に嵌め込まれている（通されている）。また、アーム部２２の基端部に設けられた孔に、盛上部３２の側壁部３２ａに設けられた軸部Ｐ２２が回動可能に嵌め込まれている（通されている）。
【００２３】
アーム部２１の先端部には、グリップ部２３の一方の端部が取り付けられている。アーム部２２の先端部には、グリップ部２３の他方の端部が取り付けられている。すなわち、ハンドル２０は、略Ｕ字状を呈している。
【００２４】
ここで、図３及び図４に示されるように、軸部Ｐ２１は、盛上部３２の側壁部３２ａにおけるＹ軸方向の一方の面に取り付けられ、側壁部３２ａからＹ軸方向に沿って突出している。軸部Ｐ２２は、盛上部３２の側壁部３２ａにおけるＹ軸方向の他方の面に取り付けられ、側壁部３２ａからＹ軸方向に沿って突出している。軸部Ｐ２１及びＰ２２は、Ｘ軸方向において、中央位置Ｃよりも負極端子Ｄ２側に位置している。
【００２５】
ハンドル１０は、軸部Ｐ１１及びＰ１２を軸として回動可能である。ハンドル２０は、軸部Ｐ２１及びＰ２２を軸として回動可能である。すなわち、ハンドル１０及び２０は、それぞれＹ軸方向に沿った軸周りに回動する。ハンドル１０とハンドル２０とは、Ｘ軸方向において並べて配置されている。ハンドル１０の回動の軸は、ハンドル２０の回動の軸と平行となっている。上方から見たときに、ハンドル１０及び２０は、鉛蓄電池１の重心を挟むように蓋本体３０に取り付けられている。ハンドル１０は、上方から見たときに、蓋本体３０に取り付けられた側に対して反対側の先端部（グリップ部１３側）が鉛蓄電池１の重心Ｇ側を向くように回動する。同様に、ハンドル２０は、上方から見たときに、蓋本体３０に取り付けられた側に対して反対側の先端部（グリップ部２３側）が鉛蓄電池１の重心Ｇ側を向くように回動する。
【００２６】
盛上部３２の上面には、図１及び図２に示されるようにハンドル１０及び２０が倒されたときにグリップ部１３及び２３を収容する溝３２ｂ（図３及び図４参照）が設けられている。なお、ハンドル１０及び２０が倒されたときに、ハンドル１０のグリップ部１３とハンドル２０のグリップ部２３とがＸ軸方向において並ぶように、ハンドル１０及び２０が蓋本体３０に取り付けられている。
【００２７】
蓋本体３０には、図５に示されるようにハンドル１０及び２０が立ち上げられたときに、蓋本体３０に対するハンドル１０及び２０の回動範囲を規制する凸部Ｓ１１、Ｓ１２、Ｓ２１及びＳ２２が設けられている（図３及び図４参照）。
【００２８】
図４及び図５に示されるように、凸部Ｓ１１及びＳ１２は、蓋本体３０に対するハンドル１０の回動範囲を規制する。詳細には、凸部Ｓ１１は、カバー部３１の上面３１ａにおいて、軸部Ｐ１１の近傍（軸部Ｐ１１の下方位置）に設けられている。アーム部１１の基端部には、外側に張り出す張出部１１ａが設けられている。アーム部１１が回動させられたときに、凸部Ｓ１１は、張出部１１ａにおける回動方向の端面と当接することによってアーム部１１（ハンドル１０）の回動範囲を規制する。凸部Ｓ１１は、アーム部１１（ハンドル１０）の回動の軸方向に沿って見たときに、カバー部３１の上面（蓋本体の上面）３１ａに対するハンドル１０の開き角度αが９０°未満となる回動位置で当接することによってハンドル１０の回動範囲を規制する。より詳細には、凸部Ｓ１１は、アーム部１１の回動の軸方向に沿って見たときに、アーム部１１の回動の軸とグリップ部１３とを接続する直線Ｌ１０と、カバー部３１の上面３１ａとがなす角度αが９０°未満となるようにハンドル１０の回動範囲を規制する。
【００２９】
図４に示されるように、凸部Ｓ１２は、凸部Ｓ１１と同様に、カバー部３１の上面３１ａにおいて、軸部Ｐ１２の近傍（軸部Ｐ１２の下方位置）に設けられている。アーム部１２の基端部には、外側に張り出す張出部１２ａ（図２参照）が設けられている。アーム部１２が回動させられたときに、凸部Ｓ１２は、張出部１２ａにおける回動方向の端面と当接することによってアーム部１２（ハンドル１０）の回動範囲を規制する。凸部Ｓ１２は、アーム部１２（ハンドル１０）の回動の軸方向に沿って見たときに、カバー部３１の上面（蓋本体の上面）３１ａに対するハンドル１０の開き角度αが９０°未満となる回動位置で当接することによってハンドル１０の回動範囲を規制する。より詳細には、凸部Ｓ１２は、アーム部１２の回動の軸方向に沿って見たときに、アーム部１２の回動の軸とグリップ部１３とを接続する直線と、カバー部３１の上面３１ａとがなす角度αが９０°未満となるようにハンドル１０の回動範囲を規制する。
【００３０】
図４及び図５に示されるように、凸部Ｓ２１及びＳ２２は、蓋本体３０に対するハンドル２０の回動範囲を規制する。詳細には、凸部Ｓ２１は、カバー部３１の上面３１ａにおいて、軸部Ｐ２１の近傍（軸部Ｐ２１の下方位置）に設けられている。アーム部２１の基端部には、外側に張り出す張出部２１ａが設けられている。アーム部２１が回動させられたときに、凸部Ｓ２１は、張出部２１ａにおける回動方向の端面と当接することによってアーム部２１（ハンドル２０）の回動範囲を規制する。凸部Ｓ２１は、アーム部２１（ハンドル２０）の回動の軸方向に沿って見たときに、カバー部３１の上面（蓋本体の上面）３１ａに対するハンドル２０の開き角度αが９０°未満となる回動位置で当接することによってハンドル２０の回動範囲を規制する。より詳細には、凸部Ｓ２１は、アーム部２１の回動の軸方向に沿って見たときに、アーム部２１の回動の軸とグリップ部２３とを接続する直線Ｌ２０と、カバー部３１の上面３１ａとがなす角度αが９０°未満となるようにハンドル２０の回動範囲を規制する。
【００３１】
図４に示されるように、凸部Ｓ２２は、凸部Ｓ２１と同様に、カバー部３１の上面３１ａにおいて、軸部Ｐ２２の近傍（軸部Ｐ２２の下方位置）に設けられている。アーム部２２の基端部には、外側に張り出す張出部２２ａ（図２参照）が設けられている。アーム部２２が回動させられたときに、凸部Ｓ２２は、張出部２２ａにおける回動方向の端面と当接することによってアーム部２２（ハンドル２０）の回動範囲を規制する。凸部Ｓ２２は、アーム部２２（ハンドル２０）の回動の軸方向に沿って見たときに、カバー部３１の上面（蓋本体の上面）３１ａに対するハンドル２０の開き角度αが９０°未満となる回動位置で当接することによってハンドル２０の回動範囲を規制する。より詳細には、凸部Ｓ２２は、アーム部２２の回動の軸方向に沿って見たときに、アーム部２２の回動の軸とグリップ部１３とを接続する直線と、カバー部３１の上面３１ａとがなす角度αが９０°未満となるようにハンドル２０の回動範囲を規制する。
【００３２】
蓋本体３０は、図４に示されるように、ハンドル１０が軸部Ｐ１１及びＰ１２からそれぞれ外れることを防止する規制壁Ｒ１１及びＲ１２と、ハンドル２０が軸部Ｐ２１及びＰ２２からそれぞれ外れることを防止する規制壁Ｒ２１及びＲ２２とを有している。
【００３３】
規制壁Ｒ１１は、図４及び図５に示されるように、カバー部３１の上面３１ａにおいて軸部Ｐ１１の近傍に設けられている。規制壁Ｒ１１は、盛上部３２の側壁部３２ａに対向している。図５に示されるように、アーム部１１（ハンドル１０）が立ち上げられたときに、アーム部１１の張出部１１ａは、規制壁Ｒ１１と盛上部３２の側壁部３２ａとによって挟まれた状態となる。すなわち、規制壁Ｒ１１は、アーム部１１が立ち上げられた状態においては、軸部Ｐ１１の軸方向においてアーム部１１の張出部１１ａに対向している。そして、規制壁Ｒ１１は、軸部Ｐ１１から外れる方向（軸部Ｐ１１の先端に向かう方向）におけるアーム部１１の移動を規制する。これにより、図４及び図５に示されるように、アーム部１１が立ち上げられた状態においては、アーム部１１が軸部Ｐ１１から外れることが防止される。
【００３４】
一方、図１に示されるように、アーム部１１（ハンドル１０）が倒されたときに、アーム部１１の張出部１１ａは、軸部Ｐ１１の軸方向において規制壁Ｒ１１と対向しない。これにより、アーム部１１が倒された状態においては、アーム部１１が軸部Ｐ１１の先端に向かって移動させられることによって、アーム部１１が軸部Ｐ１１から取り外され得る。
【００３５】
規制壁Ｒ１２、Ｒ２１及びＲ２２は、規制壁Ｒ１１と同様の構成及び機能を有している。このため、規制壁Ｒ１２、Ｒ２１及びＲ２２について、説明を省略する。
【００３６】
ここで、作業者等がハンドル１０及び２０を把持して鉛蓄電池１を持ち上げた場合について説明する。作業者等がハンドル１０及び２０をそれぞれ把持して鉛蓄電池１を持ち上げると、図５に示されるように、ハンドル１０及び２０が立ち上げられた状態となる。このとき、ハンドル１０及び２０における蓋本体３０への取り付け位置と鉛蓄電池１の重心Ｇとの位置関係により、開き角度αが９０°となるようにハンドル１０が蓋本体３０に対して回動しようとする。これにより、アーム部１１及び１２が凸部Ｓ１１及びＳ１２にそれぞれ当接し、ハンドル１０の回動が規制された状態となる。すなわち、鉛蓄電池１が持ち上げられた状態では、アーム部１１及び１２が常に凸部Ｓ１１及びＳ１２にそれぞれ当接した状態となる。同様に、ハンドル１０及び２０における蓋本体３０への取り付け位置と鉛蓄電池１の重心Ｇとの位置関係により、開き角度αが９０°となるようにハンドル２０が蓋本体３０に対して回動しようとする。このため、アーム部２１及び２２が凸部Ｓ２１及びＳ２２にそれぞれ当接し、ハンドル２０の回動が規制された状態となる。すなわち、鉛蓄電池１が持ち上げられた状態では、アーム部２１及び２２が常に凸部Ｓ２１及びＳ２２にそれぞれ常に当接した状態となる。
【００３７】
従って、蓋本体３０及び電槽２がＹ軸方向に沿った軸周りに回動しようとしたときに、一方の方向（負極端子Ｄ２側が下がる方向）への回動は凸部Ｓ１１及びＳ１２によって規制され、他方の方向（正極端子Ｄ１側が下がる方向）への回動は凸部Ｓ２１及びＳ２２によって規制される。これにより、鉛蓄電池１が持ち上げられたときに、ハンドル１０及び２０に対する蓋３及び電槽２の揺動が抑制される。以上のように、この鉛蓄電池１は、ハンドル１０及び２０を用いて鉛蓄電池１が持ち上げられたときに、鉛蓄電池１の姿勢を安定させることができる。
【００３８】
上記実施形態では、ハンドル１０及び２０の回動範囲を規制する規制部として凸部Ｓ１１、Ｓ１２、Ｓ２１及びＳ２２を用いたが、凸部Ｓ１１等が用いられることに限定されない。以下、ハンドル１０及び２０の回動範囲を規制する規制部の変形例について説明する。
【００３９】
（規制部の第１変形例）
本変形例では、図６に示されるように、ハンドル１０のアーム部１１の回動範囲を規制する規制部として、壁部３３が用いられる。具体的には、カバー部３１の上面３１ａにおいて軸部Ｐ１１の近傍には、壁部３３が設けられている。壁部３３は、上方から見たときに、軸部Ｐ１１が壁部３３よりも中央位置Ｃ側に位置するように配置されている。壁部３３における中央位置Ｃ側の面が、ストッパ面Ｓ１１Ａとなっている。ハンドル１０が立ち上げられたときに、アーム部１１が壁部３３のストッパ面Ｓ１１Ａに当接することによってアーム部１１（ハンドル１０）の回動が規制される。実施形態における凸部Ｓ１１と同様に、壁部３３のストッパ面Ｓ１１Ａは、アーム部１１（ハンドル１０）の回動の軸方向に沿って見たときに、カバー部３１の上面（蓋本体の上面）３１ａに対するハンドル１０の開き角度αが９０°未満となるようにハンドル１０の回動範囲を規制する。
【００４０】
他のアーム部１２、２１及び２２についてもアーム部１１と同様に、軸部Ｐ１２、Ｐ２１及びＰ２２の近傍にそれぞれ設けられた壁部のストッパ面によって、回動範囲が規制される。本変形例のように、ハンドル１０及び２０の回動範囲を規制する規制部として壁部３３等が用いられる場合であっても、鉛蓄電池１は、実施形態における凸部Ｓ１１等が用いられる場合と同様の作用効果を奏する。
【００４１】
（規制部の第２変形例）
本変形例では、図７に示されるように、ハンドル１０のアーム部１１の回動範囲を規制する規制部として、規制壁Ｒ１１が用いられる。ここで、張出部１１ａは、アーム部１１の他の部位よりも厚さが薄い。このため、アーム部１１における張出部１１ａの端部は、張出部１１ａの厚さが薄いことによって形成された段差部１１ｂとなっている。ハンドル１０が立ち上げられると、アーム部１１に設けられた段差部１１ｂが規制壁Ｒ１１の上端面Ｓ１１Ｂに当接することによってアーム部１１（ハンドル１０）の回動が規制される。実施形態における凸部Ｓ１１と同様に、規制壁Ｒ１１の上端面Ｓ１１Ｂは、アーム部１１（ハンドル１０）の回動の軸方向に沿って見たときに、カバー部３１の上面（蓋本体の上面）３１ａに対するハンドル１０の開き角度αが９０°未満となる回動位置で当接することによってハンドル１０の回動範囲を規制する。
【００４２】
他のアーム部１２、２１及び２２についてもアーム部１１と同様に、規制部としての規制壁Ｒ１２、Ｒ２１及びＲ２２によって、回動範囲が規制される。本変形例のように、ハンドル１０及び２０の回動範囲を規制する規制部として規制壁Ｒ１１等が用いられる場合であっても、鉛蓄電池１は、実施形態と同様の作用効果を奏する。また、ハンドル１０等が軸部Ｐ１１等から外れることを防止する規制壁Ｒ１１等を、ハンドル１０等の回動範囲を規制する規制部としても機能させることができる。これにより、蓋３の構成が簡素化される。
【００４３】
（ハンドルの変形例）
次に、ハンドルを一つのみ備える鉛蓄電池の蓋の変形例について説明する。図８に示されるように、鉛蓄電池１Ａは、電槽２、及び蓋３Ａを備えている。蓋３Ａは、ハンドル１０を備えている。本変形例におけるハンドル１０は、蓋本体３０に対して取り付けられる位置が異なっている点以外、実施形態におけるハンドル１０と同様の構成となっている。また、本変形例におけるハンドル１０は、実施形態におけるハンドル１０と同様に、凸部Ｓ１１及びＳ１２によって回動範囲が規制されている。
【００４４】
ハンドル１０は、中央位置Ｃよりも正極端子Ｄ１側の位置において蓋本体３０に回動可能に取り付けられている。本変形例におけるハンドル１０は、上方から見たときに、蓋本体３０に取り付けられた側に対して反対側の先端部（グリップ部１３側）が鉛蓄電池１Ａの重心Ｇ側を向くように回動する。また、ハンドル１０が立ち上げられて凸部Ｓ１１及びＳ１２によってハンドル１０の回動が規制された状態で、ハンドル１０のグリップ部１３が鉛蓄電池１Ａの重心Ｇに重なるようにハンドル１０が蓋本体３０に取り付けられている。
【００４５】
ここで、作業者等がハンドル１０を把持して鉛蓄電池１Ａを持ち上げた場合について説明する。作業者等がハンドル１０を把持して鉛蓄電池１Ａを持ち上げると、ハンドル１０が立ち上げられた状態となる。このとき、ハンドル１０における蓋本体３０への取り付け位置と鉛蓄電池１Ａの重心Ｇとの位置関係によって、蓋本体３０及び電槽２がハンドル１０に対して回動しようとする。上述したように、ハンドル１０は、先端部が鉛蓄電池１Ａの重心Ｇ側を向くように回動する。凸部Ｓ１１及びＳ１２は、ハンドル１０の開き角度αが９０°未満となるように回動範囲を規制する。このため、ハンドル１０に対する蓋本体３０及び電槽２の回動は、凸部Ｓ１１及びＳ１２によって規制される。すなわち、ハンドル１０によって鉛蓄電池１Ａが持ち上げられた状態では、ハンドル１０に対する蓋本体３０及び電槽２の回動が凸部Ｓ１１及びＳ１２によって常に規制された状態となる。従って、蓋本体３０及び電槽２がハンドル１０に対して回動しようとしたときに、一方の方向（負極端子Ｄ２側が下がる方向）への回動は凸部Ｓ１１及びＳ１２によって規制され、他方の方向（正極端子Ｄ１側が下がる方向）への回動は鉛蓄電池の重さによって抑制される。これにより、鉛蓄電池１Ａが持ち上げられたときに、ハンドル１０に対する蓋本体３０及び電槽２の揺動が抑制される。以上のように、鉛蓄電池１Ａは、ハンドル１０を用いて鉛蓄電池１Ａが持ち上げられたときに、鉛蓄電池１Ａの姿勢を安定させることができる。
【００４６】
また、ハンドル１０が立ち上げられた状態では、上方から見たときに、ハンドル１０のグリップ部１３が鉛蓄電池１Ａの重心Ｇに重なっている。この場合、ハンドル１０の回動の軸方向に沿って見たときに、グリップ部１３と、ハンドル１０の回動の軸（軸部Ｐ１１、Ｐ１２）と、鉛蓄電池１Ａの重心Ｇとが同一直線上に位置する。このため、ハンドル１０を用いて鉛蓄電池１Ａが持ち上げられたときに、電槽２が傾くことが抑制される。
【００４７】
以上、本発明の実施形態について説明したが、本発明は、上記実施形態に限定されるものではない。例えば、ハンドル１０及び２０は、Ｙ軸方向に沿った軸周りに回動したが、Ｘ軸方向に沿った軸周りに回動してもよい。蓋３及び３Ａは、上方から見たときに、略正方形状を呈していてもよい。ハンドル１０のアーム部１１及び１２は、基端部から先端部に向かって湾曲していてもよい。同様に、ハンドル２０のアーム部２１及び２２は、基端部から先端部に向かって湾曲していてもよい。
【００４８】
また、ハンドルの変形例として説明した鉛蓄電池１Ａの蓋３Ａにおいて、ハンドル１０の回動が規制された状態で、ハンドル１０のグリップ部１３が鉛蓄電池１Ａの重心Ｇに重なっていなくてもよい。
【産業上の利用可能性】
【００４９】
ハンドルを用いて鉛蓄電池が持ち上げられたときに、鉛蓄電池の姿勢を安定させることができる。
【符号の説明】
【００５０】
１、１Ａ…鉛蓄電池、２…電槽、３、３Ａ…蓋、１０、２０…ハンドル、１１、１２、２１、２２…アーム部、１３、２３…グリップ部、３０…蓋本体、３３…壁部（規制部）、Ｇ…重心、Ｐ１１、Ｐ１２、Ｐ２１、Ｐ２２…軸部、Ｒ１１、Ｒ１２、Ｒ２１、Ｒ２２…規制壁（規制部）、Ｓ１１、Ｓ１２、Ｓ２１、Ｓ２２…凸部（規制部）。
【図１】
2019150428.tif 000003
【図２】
2019150428.tif 000004
【図３】
2019150428.tif 000005
【図４】
2019150428.tif 000006
【図５】
2019150428.tif 000007
【図６】
2019150428.tif 000008
【図７】
2019150428.tif 000009
【図８】
2019150428.tif 000010
【国際調査報告】
2019150428.tif 000011
2019150428.tif 000012
2019150428.tif 000013